(57)【要約】【課題】ＭＶＮＯ事業者が移動端末の認証やユーザへの課金の方法を自由にカスタマイズできるシステムを提供することを目的とする。【解決手段】移動端末は基地局を介して認証要求を送信する。基地局と認証装置の間に位置する中継装置は、仮想移動体サービス事業者のサービスを提供するＭＶＮＯ基地局を介して認証要求を受信すると、認証要求を、仮想移動体サービス事業者によって管理されているＭＶＮＯ認証装置に転送する。ＭＶＮＯ認証装置は、仮想移動体サービス事業者のユーザとして登録された移動端末から送信された認証要求を受信すると、アクセスを認可するか決定する。【選択図】図２
2011015021.tif 000002
【特許請求の範囲】
【請求項１】
移動端末は基地局を介して認証要求を送信し、
前記基地局と認証装置の間に位置する中継装置は、仮想移動体サービス事業者のサービスを提供するＭＶＮＯ基地局を介して前記認証要求を受信すると、前記認証要求を、前記仮想移動体サービス事業者によって管理されているＭＶＮＯ認証装置に転送し、
前記ＭＶＮＯ認証装置は、前記仮想移動体サービス事業者のユーザとして登録された移動端末から送信された前記認証要求を受信すると、アクセスを認可するか決定する
ことを特徴とする認証課金方法。
【請求項２】
前記中継装置は、移動体通信事業者のサービスを提供するＭＮＯ基地局を介して前記認証要求を受信すると、前記認証要求を、前記移動体通信事業者によって管理されているＭＮＯ認証装置に転送し、
前記ＭＮＯ認証装置は、前記移動体通信事業者のユーザとして登録された移動端末から送信された前記認証要求について、アクセスを認可するか決定する
ことを特徴とする請求項１に記載の認証課金方法。
【請求項３】
前記認証要求は、前記認証要求を中継する基地局を識別する基地局識別子を含み、
前記ＭＶＮＯ認証装置は、前記基地局識別子に応じて、アクセスを認可した移動端末に対する課金額を算出する
ことを特徴とする請求項１もしくは２に記載の認証課金方法。
【請求項４】
前記ＭＶＮＯ認証装置は、前記ＭＶＮＯ基地局を介して、移動体通信事業者のユーザとして登録された移動端末に前記サービスが提供されるときに、前記基地局識別子に応じて、アクセスを認可した移動端末に対する課金額を算出して、前記移動体通信事業者によって管理されているＭＮＯ認証装置に前記課金額を通知する
ことを特徴とする請求項３に記載の認証課金方法。
【請求項５】
前記ＭＶＮＯ認証装置が受信した認証要求が、移動体通信事業者のユーザとして登録されているＭＮＯユーザ端末から送信された場合、前記ＭＶＮＯ認証装置は、前記ＭＮＯ認証装置に前記ＭＮＯユーザ端末からの認証要求を転送する
ことを特徴とする請求項１〜４のいずれかに記載の認証課金方法。
【請求項６】
前記基地局は、前記基地局を介した通信によって提供されるサービスの条件を表すサービス情報を前記移動端末に通知し、
前記移動端末が複数の基地局から前記サービス情報を受信したとき、前記移動端末は、前記サービス情報に基づいて、前記複数の基地局の中から接続する基地局を決定する
ことを特徴とする請求項１〜５のいずれかに記載の認証課金方法。
【請求項７】
基地局を介して移動端末の認証要求を受信するときに、前記基地局が仮想移動体サービス事業者のサービス提供に用いられるＭＶＮＯ基地局であるかを判定する判定部と、
前記ＭＶＮＯ基地局を介して送信された認証要求を、前記仮想移動体サービス事業者によって管理されているＭＶＮＯ認証装置へ送信する送信部、
を備えることを特徴とする中継装置。
【請求項８】
仮想移動体サービス事業者によって管理されているＭＶＮＯ認証装置であって、
前記仮想移動体サービス事業者のサービス提供に用いられるＭＶＮＯ基地局を介して、移動端末からの認証要求を受信する受信部と、
前記ＭＶＮＯ認証装置での認証を要求するＭＶＮＯ認証要求に対して、前記ＭＶＮＯ認証要求を送信した移動端末のアクセスを認可するかを決定する決定部と、
前記受信部で受信された前記認証要求のうち、移動体通信事業者のサービス提供を要求するＭＮＯ認証要求を、前記移動体通信事業者の認証装置に転送する転送部
を備えることを特徴とする認証装置。
【発明の詳細な説明】
【技術分野】
【０００１】
本発明は、無線アクセス網において、端末の認証、課金をする方法に関わる。
【背景技術】
【０００２】
近年、携帯電話などの移動端末の普及に伴って、様々な事業者が通信サービスを提供している。通信サービスを提供する事業者には、移動体通信事業者（ＭＮＯ、Mobile Network Operator）と、仮想移動体サービス事業者（ＭＶＮＯ、Mobile Virtual Network Operator）がある。ＭＮＯ事業者は、基地局などの無線アクセス網を形成する設備を有する事業者である。一方、ＭＶＮＯ事業者は、基地局などの設備を持たずにＭＮＯ事業者から設備を借りて事業を展開する事業者であり、ＭＶＮＯユーザの認証と使用料の課金を行うが、基地局の制御などは行わない。
【０００３】
図１は、移動端末１（１ａ〜１ｄ）が無線アクセス網を利用するときに行われるユーザの認証と課金の一例について説明する図である。この例では、移動端末１ａと１ｃはＭＶＮＯユーザの端末で、移動端末１ｂと１ｄはＭＮＯユーザの端末であるものとする。移動端末１は、ＭＮＯ事業者によって制御されている基地局２（２ａ、２ｂ）を介して、ＡＳＮＧＷ（Access Service Network Gateway）３に対して認証要求メッセージを送信する。ＡＳＮＧＷ３は、Ｐ−ＡＡＡサーバ（proxy authentication authorization accounting server）４へ認証要求メッセージを転送する。Ｐ−ＡＡＡサーバ４は、移動端末１がＭＮＯ事業者とＭＶＮＯ事業者のいずれのユーザであるかに応じて認証要求メッセージを振り分ける。例えば、ＭＶＮＯユーザの移動端末１ａや１ｃからの認証要求を受けると、Ｐ−ＡＡＡサーバ４は、ＭＶＮＯ事業者のＨ−ＡＡＡ（home authentication authorization accounting server）サーバ５へ認証要求メッセージを転送する。すると、Ｈ−ＡＡＡサーバ５は、ＭＶＮＯユーザの認証と、ＭＶＮＯユーザに対する課金を行う。一方、移動端末１ｂ、１ｄはＭＮＯユーザの移動端末１であるため、Ｐ−ＡＡＡサーバ４は、移動端末１ｂ、１ｄからの認証要求メッセージを受信するとＭＮＯ事業者のＨ−ＡＡＡサーバ６へ認証要求メッセージを転送する。すると、ＭＮＯ事業者のＨ−ＡＡＡサーバ６は、ＭＮＯユーザについての認証と課金を行う。
【０００４】
関連する技術としては、各オペレータに対する独立の資源コントローラを有する無線ネットワーク制御装置が知られている。この資源コントローラは、異なるオペレータに対して異なるサービス品質が達成されるように、オペレータＩＤの加入者ユニットのサービスへの関連付けに応じて加入者ユニットに無線資源を割り当てる（例えば、特許文献１）。また、移動端末の事業者ＩＤ毎に、アクセス可能なエリアを登録するためのデータベースを備えた基地局制御装置も知られている（例えば、特許文献２)。さらに、選択可能なネットワーク要素のリストを記憶するネットワーク要素を備えたネットワークも知られており、このリストは、ルーティングエリア又は位置エリアなどを識別する識別子を使用してアクセスされる（例えば、特許文献３）。
【先行技術文献】
【特許文献】
【０００５】
【特許文献１】特表２００５−５３９４６２号公報
【特許文献２】特開２００７−２３５４９５号公報
【特許文献３】特表２００３−５３４７１４号公報
【発明の概要】
【発明が解決しようとする課題】
【０００６】
前述のとおり、移動端末１から送信された認証要求メッセージは、ＭＮＯ事業者のＰ−ＡＡＡサーバ４によって、移動端末１へのサービスを提供している事業者に応じたＨ−ＡＡＡサーバ（５、６）へと振り分けられる。従って、認証や課金に際してＭＶＮＯ事業者は、ＭＮＯ事業者のＰ−ＡＡＡサーバ４に移動端末１から送られた情報以外の情報を用いることができない。このため、ＭＶＮＯ事業者は認証や課金の方法を自由にカスタマイズできないという問題がある。
【０００７】
本発明では、ＭＶＮＯ事業者が移動端末１の認証やユーザへの課金の方法を自由にカスタマイズできるシステムを提供することを目的とする。
【課題を解決するための手段】
【０００８】
本発明の１つの態様によると、移動端末は基地局を介して認証要求を送信し、前記基地局と認証装置の間に位置する中継装置は、仮想移動体サービス事業者のサービスを提供するＭＶＮＯ基地局を介して前記認証要求を受信すると、前記認証要求を、前記仮想移動体サービス事業者によって管理されているＭＶＮＯ認証装置に転送し、前記ＭＶＮＯ認証装置は、前記仮想移動体サービス事業者のユーザとして登録された移動端末から送信された前記認証要求を受信すると、アクセスを認可するか決定する認証課金方法が提供される。
【発明の効果】
【０００９】
ＭＶＮＯ事業者は、移動端末の認証やユーザへの課金の方法を自由にカスタマイズできる。
【図面の簡単な説明】
【００１０】
【図１】移動端末が無線アクセス網を利用するときに行われるユーザの認証と課金の一例について説明する図である。
【図２】ＭＶＮＯ基地局を介した認証課金方法で行われる動作の一例を説明する図である。
【図３】ＭＶＮＯ基地局を介して、移動端末の認証と課金が行われるときの動作の例を説明するシーケンス図（その１）である。
【図４】ＭＶＮＯ基地局を介して、移動端末の認証と課金が行われるときの動作の例を説明するシーケンス図（その２）である。
【図５】基地局を介して、移動端末が認証を要求する場合に行われる動作の一例を説明する図である。
【図６】基地局を介して、移動端末の認証と課金が行われるときの動作の一例を説明するシーケンス図である。
【図７】ＭＶＮＯ基地局を介した通信に対する課金によって発生する料金の支払方法の一例を説明する図である。
【図８】ＡＳＮＧＷの動作の一例を説明するフローチャートである。
【図９】移動端末が接続先の基地局を選択する方法の一例を説明する図である。
【図１０】移動端末が接続先の基地局を選択する場合に行う動作の一例を説明するシーケンス図である。
【図１１】基地局からブロードキャストされる報知信号の例を示す図である。
【図１２】サービス情報フィールドと移動端末の接続ポリシーの例を示す図である。
【図１３】基地局の選択が可能な接続方法での基地局の動作の一例を説明するフローチャートである。
【図１４】基地局の選択が可能な接続方法での移動端末の動作の一例を説明するフローチャートである。
【図１５】移動端末が基地局に接続する場合に行う動作の一例を説明する図である。
【図１６】移動端末が基地局に接続する場合に行う動作の一例を説明するシーケンス図である。
【発明を実施するための形態】
【００１１】
以下、実施形態について、図面を参照しながら詳細に説明する。
図２〜図６に示すシステムには、基地局２とＭＶＮＯ基地局２０の２種類の基地局が含まれる。以下の説明では、ＭＮＯ事業者とＭＶＮＯ事業者の間での契約などにより、ＭＶＮＯ基地局２０を介して送受信されるメッセージの内容などを、ＭＶＮＯ事業者が設定もしくは変更できるものとする。ここで、ＭＮＯ事業者とＭＶＮＯ事業者の間の契約によっては、ＭＶＮＯ基地局の運用はＭＮＯ事業者からＭＶＮＯ事業者に委託されることがあり、また、ＭＶＮＯ事業者がＭＶＮＯ基地局の設置をＭＮＯ事業者に委託することもある。
【００１２】
図２〜図６に示すシステムでは、移動端末１から送信された制御メッセージが経由した基地局が、ＭＶＮＯ基地局２０であるかＭＮＯ事業者の基地局２であるかによって、ＡＳＮＧＷ３が、制御メッセージの転送先を決定する。この制御メッセージの例としては、認証要求メッセージや課金開始要求メッセージなどが挙げられる。制御メッセージがＭＶＮＯ基地局２０を経由していれば、ＡＳＮＧＷ３は制御メッセージをＭＶＮＯ事業者のＨ−ＡＡＡサーバ５に転送する。すなわち、ＭＶＮＯ基地局２０を介する制御メッセージは、ＭＮＯ事業者のＰ−ＡＡＡサーバ４で振り分けられない。このため、ＭＶＮＯ基地局２０を介するメッセージにＭＮＯ事業者が要求しない情報を含めることやＭＮＯ事業者の用いるメッセージと異なる構成のメッセージを使用することができる。従って、ＭＶＮＯ事業者が認証や課金に際して使用する情報を選択する幅が広くなり、ＭＶＮＯ事業者が認証方法や課金方法などをカスタマイズしやすくなる。図２〜図６を参照して、第１の実施形態に係る認証課金方法で行われる動作の一例を４つのケースに分けて説明する。また、以下の説明では、１つのＭＶＮＯ事業者と１つのＭＮＯ事業者が、各々のサービスを提供しているものとする。
【００１３】
図２は、ＭＶＮＯ基地局を介した認証課金方法で行われる動作の一例を説明する図である。図２に示すシステムには、ＡＳＮ（Access Service Network）１１、ＣＳＮ（Connectivity Service Network）１２、ＭＶＮＯ網１３が含まれる。このシステムでは、ＭＶＮＯ事業者を一意に識別するＭＶＮＯ識別子と、ＭＮＯ事業者を一意に識別するＭＮＯ識別子が用いられる。また、ＭＶＮＯ事業者のユーザとして登録された移動端末１（１ａ、１ｃ）は、その移動端末（１ａ、１ｃ）を登録しているＭＶＮＯ事業者を識別するＭＶＮＯ識別子（ＭＶＮＯ＿ＩＤ）を記憶しているものとする。一方、ＭＮＯ事業者のユーザとして登録された移動端末１（１ｂ、１ｄ）は、その移動端末（１ｂ、１ｄ）を登録しているＭＮＯ事業者のＭＮＯ識別子を記憶しているものとする。
【００１４】
ＡＳＮ１１には、基地局（２、２０）とＡＳＮＧＷ３が含まれ、ＡＳＮ１１において無線アクセスに関する処理が行われる。基地局２とＭＶＮＯ基地局２０は、認証要求メッセージなどの制御メッセージの中継をするなど、移動端末１に対しての無線アクセスを提供する。基地局２およびＭＶＮＯ基地局２０には、基地局を識別するための基地局識別子が割り当てられている。以下の記載では、基地局２とＭＶＮＯ基地局２０の違いを明確化するために、基地局２を「ＭＮＯ基地局」と記載することもある。ＭＮＯ基地局は、後述するように、ＭＮＯ基地局を介した通信に関するサービスの情報を、移動端末１に通知することがある。
【００１５】
ＭＶＮＯ基地局２０は、Ｈ−ＡＡＡサーバ５から通知された設定に応じて、そのＭＶＮＯ基地局２０を使用したときの課金条件を設定することができる。また、ＭＶＮＯ基地局２０は、ＭＶＮＯ基地局２０を介した通信でのサービス内容や課金条件などのサービス情報を、移動端末１に通知することができる。
【００１６】
ＡＳＮＧＷ３は、認証の補助や管理を行い、例えば、移動端末１から受信した認証要求メッセージが経由した基地局に応じて、認証要求メッセージの転送先となる認証装置を決定する。ＡＳＮＧＷ３は、少なくともＡＳＮＧＷ３に接続されているＭＶＮＯ基地局２０の基地局識別子を記憶している。また、ＡＳＮＧＷ３は、ＭＶＮＯ基地局２０を介して通信サービスを提供するＭＶＮＯ事業者を識別するＭＶＮＯ識別子を記憶している。さらに、ＭＮＯ事業者のユーザに対して、ＭＶＮＯ基地局２０を介したサービスの提供が行われる場合には、ＡＳＮＧＷ３は、ＭＶＮＯ基地局２０を介して受信した制御メッセージの転送を許可するＭＮＯ事業者のＭＮＯ識別子も記憶している。
【００１７】
ＡＳＮＧＷ３は、ＭＶＮＯ基地局２０を介して受信した制御メッセージを、ＭＶＮＯ事業者のＨ−ＡＡＡサーバ５に転送する。ここで、ＭＶＮＯ識別子か制御メッセージの転送を許可するＭＮＯ事業者のＭＮＯ識別子が付されている場合に、制御メッセージをＭＶＮＯ事業者のＨ−ＡＡＡサーバ５に転送するようにＡＳＮＧＷ３を設計することもできる。一方、基地局２を介して制御メッセージを受信すると、ＡＳＮＧＷ３は、ＭＮＯ事業者のＨ−ＡＡＡサーバ６に、制御メッセージを転送する。制御メッセージの転送については、後で詳しく述べる。なお、ＡＳＮＧＷ３は、ＭＶＮＯ識別子やＭＮＯ識別子をテーブルやデータベースとしてメモリ中に記憶することもできる。
【００１８】
また、ＡＳＮＧＷ３は、ＭＶＮＯ基地局２０を介した通信が許可される対象となるＭＮＯユーザやＭＶＮＯユーザの移動端末を特定する端末識別子をテーブルやデータベースに記録してメモリ中に記憶することもできる。さらに、ＡＳＮＧＷ３は、課金情報についての処理、無線リソース管理、伝送リソース管理、ハンドオーバやロケーションアップデートに関する処理、無線関連機能の終端などを行うことがある。
【００１９】
ＣＳＮ１２にはＰ−ＡＡＡサーバ４、Ｈ−ＡＡＡサーバ６、ホームエージェント（ＨＡ）７が備えられ、これらにより、インターネットへの接続やＭＶＮＯ網１３への接続、認証サーバによる認証、モバイルＩＰのホームエージェントによる処理などが行われる。
【００２０】
Ｐ−ＡＡＡサーバ４とＭＮＯ事業者のＨ−ＡＡＡサーバ６は、ＭＮＯユーザの認証や課金の処理を行う。Ｐ−ＡＡＡサーバ４は、例えば、後述するように、ＡＳＮＧＷ３から認証要求を受け取ると、ＭＮＯユーザからの認証要求をＭＮＯ事業者のＨ−ＡＡＡサーバ６に転送し、ＭＶＮＯユーザからの認証要求をＭＶＮＯ事業者のＨ−ＡＡＡサーバ５に転送する。ＭＮＯ事業者のＨ−ＡＡＡサーバ６は、Ｐ−ＡＡＡサーバ４やＭＶＮＯ事業者のＨ−ＡＡＡサーバ５から転送された認証要求や課金要求などを処理して、ＭＮＯユーザに対する認証や課金を行う。ホームエージェント７は、移動端末１の登録や位置情報を管理する他、移動端末１へ送信されたパケットや移動端末１から送信されたパケットをインターセプトし、移動先の移動端末１へ中継する。
【００２１】
ＭＶＮＯ網１３は、ＭＶＮＯ事業者が提供するネットワークであり、ＭＶＮＯ事業者のＨ−ＡＡＡサーバ５を備えている。ＭＶＮＯ事業者のＨ−ＡＡＡサーバ５は、ＭＶＮＯユーザの認証と課金を行う他、例えば、ＭＮＯユーザからの認証要求やＭＮＯユーザの使用に対する課金額の計算結果をＭＮＯ事業者のＨ−ＡＡＡサーバ６に通知することができる。さらに、Ｈ−ＡＡＡサーバ５は、ＭＶＮＯ基地局２０に応じた課金条件を設定できる。例えば、離島や山間部など、ユーザのニーズが多くない地域に建設されたＭＶＮＯ基地局２０については料金を上乗せする設定を作成してＭＶＮＯ基地局２０に通知する。
【００２２】
＜ケース１＞
図２を参照しながら、ＭＶＮＯ基地局２０を介して、ＭＶＮＯユーザの移動端末１ａが認証を要求する場合に行われる動作について述べる。
【００２３】
まず、ＭＶＮＯ基地局２０の通信エリア内に位置する移動端末１ａは、ＭＶＮＯ基地局２０に接続する。ＭＶＮＯ基地局２０は、移動端末１ａとの接続が確立されるまでに、例えば、報知信号などを使って、ＭＶＮＯ基地局２０を識別する基地局識別子を移動端末１ａに通知する。移動端末１ａとＭＶＮＯ基地局２０の間の接続が確立されると、移動端末１ａは、ＡＳＮＧＷ３の間で無線リンクを確立する。
【００２４】
移動端末１ａは、ＡＳＮＧＷ３との間の無線リンクを確立すると、移動端末１ａをユーザとして登録しているＭＶＮＯ事業者に認証を要求するための認証要求メッセージを生成する。この認証要求メッセージには、移動端末１ａが接続しているＭＶＮＯ基地局２０の基地局識別子と、移動端末１ａが認証を要求するＭＶＮＯ事業者を識別するＭＶＮＯ識別子が含まれている。移動端末１ａは、ＭＶＮＯ基地局２０を介してＡＳＮＧＷ３に認証要求メッセージを送信する。
【００２５】
ＡＳＮＧＷ３は、受信した認証要求メッセージに含まれている基地局識別子を元に、受信した認証要求メッセージが経由した基地局を特定する。ＡＳＮＧＷ３は、認証要求メッセージがＭＶＮＯ基地局２０を経由したことを認識すると、認証要求メッセージの転送先をＭＶＮＯ事業者のＨ−ＡＡＡサーバ５に決定する。次に、認証要求メッセージに含まれているＭＶＮＯ識別子は、ＡＳＮＧＷ３で認証要求メッセージを転送する対象として設定されているＭＶＮＯ事業者のＭＶＮＯ識別子かを確認する。ＭＶＮＯ識別子が認証要求メッセージを転送する対象の識別子である場合は、ＡＳＮＧＷ３は、ＭＶＮＯ事業者のＨ−ＡＡＡサーバ５に向けて、認証要求メッセージを転送する。
【００２６】
ＭＶＮＯ事業者のＨ−ＡＡＡサーバ５は、ＡＳＮＧＷ３から認証要求メッセージを受信すると、移動端末１ａの認証を行い、ＡＳＮＧＷ３に認証応答メッセージを送信する。ＡＳＮＧＷ３は、ＭＶＮＯ基地局２０を介して移動端末１ａに応答メッセージを転送する。認証に成功したときは、移動端末１ａに対して、ＭＶＮＯ基地局２０を介した通信サービスが開始される。
【００２７】
このような認証方式を採用すると、ＭＶＮＯ事業者のＨ−ＡＡＡサーバ５は、認証要求メッセージをＡＳＮＧＷ３から直接、受信することができる。そのため、Ｈ−ＡＡＡサーバ５において認証に用いる情報や認証要求メッセージの構成は、ＭＮＯ事業者のＨ−ＡＡＡサーバ６で用いられる情報やメッセージ構成と異なるものとすることができる。
【００２８】
図３と図４は、ＭＶＮＯ基地局を介して、移動端末１の認証と課金が行われるときの動作の例を説明するシーケンス図である。図３、図４を参照しながら、移動端末１ａがＭＶＮＯ基地局を介した通信を行うときの認証と課金について説明する。
【００２９】
（１）移動端末１ａとＡＳＮＧＷ３の間で無線リンクが確立される。前述のとおり、無線リンクが確立されるまでに、移動端末１ａは、移動端末１ａとＡＳＮＧＷ３の間に位置するＭＶＮＯ基地局２０への接続処理を行い、ＭＶＮＯ基地局２０の基地局識別子を取得している。
【００３０】
（２）移動端末１ａは、ＡＳＮＧＷ３へ認証要求メッセージを送信する。この認証要求メッセージには、ＭＶＮＯ基地局２０を識別する基地局識別子と、ＭＶＮＯ識別子が含まれている。
【００３１】
（３）ＡＳＮＧＷ３は、あらかじめ記憶している基地局識別子と受信した認証要求メッセージに含まれている基地局識別子を比較し、ＭＶＮＯ基地局２０を経由した認証要求メッセージを受け取ったと判断する。あるいは、ＡＳＮＧＷ３がポートの番号と各ポートに接続されている基地局（２、２０）の関係を記憶している場合は、ＡＳＮＧＷ３は、認証要求メッセージを受信したポートの番号からＭＶＮＯ基地局２０を経由したメッセージかを判断することもできる。
【００３２】
次に、ＡＳＮＧＷ３は、ＭＶＮＯ識別子を確認して、認証要求メッセージを転送するかを決定する。ここでは、ＡＳＮＧＷ３が認証要求メッセージの転送を行う対象としているＭＶＮＯ事業者のＭＶＮＯ識別子は認証要求メッセージに含まれており、Ｈ−ＡＡＡサーバ５へ転送することが決定されたものとする。なお、ＡＳＮＧＷ３は、Ｈ−ＡＡＡサーバ５への転送を行わない認証要求メッセージを廃棄することができる。
【００３３】
（４）ＡＳＮＧＷ３は、ＭＶＮＯ識別子を含む認証要求メッセージを、ＭＶＮＯ事業者のＨ−ＡＡＡサーバ５に転送する。
（５）ＭＶＮＯ事業者のＨ−ＡＡＡサーバ５は、Ｈ−ＡＡＡサーバ５を運用するＭＶＮＯ事業者に割り当てられたＭＶＮＯ識別子と、認証要求メッセージに付されたＭＶＮＯ識別子を比較して、両者が一致するか確認する。ＭＶＮＯ識別子が一致すると、Ｈ−ＡＡＡサーバ５は、受信した認証要求メッセージに基づいて、移動端末１ａのアクセスを認可するかを決定し、認証応答メッセージをＡＳＮＧＷ３へ送信する。ここでは、移動端末１ａからのアクセスが認可されたものとする。
【００３４】
（６）ＡＳＮＧＷ３は、ＭＶＮＯ基地局２０を介して、移動端末１ａへ認証応答メッセージを転送する。
（７）アクセスが認可されると、移動端末１ａは、割り当てられたＩＰアドレスを、例えば、ＤＨＣＰ（Dynamic Host Configuration Protocol）を用いてＡＳＮＧＷ３に問い合わせる。割り当てられたＩＰアドレスが通知されると、移動端末１ａにパケットを転送するホームエージェント７とＡＳＮＧＷ３の間で接続が確立される。
【００３５】
（８）ＡＳＮＧＷ３は、Ｈ−ＡＡＡサーバ５に対して課金開始要求メッセージを送信する。
（９）Ｈ−ＡＡＡサーバ５は、課金開始要求メッセージに応答する課金開始応答メッセージをＡＳＮＧＷ３に送信し、移動端末１ａの通信に対する課金を開始する。
【００３６】
（１０）移動端末１ａは、ホームエージェント７を介して、相手端末などの通信先との間でユーザデータ通信を行う。この間に、Ｈ−ＡＡＡサーバ５は、ＡＳＮＧＷ３やＭＶＮＯ基地局２０などから、課金額の算出に用いる情報の通知を受けることができる。この場合、課金額の算出に用いる情報は、ＭＶＮＯ事業者の設定に応じて、Ｈ−ＡＡＡサーバ５からＡＳＮＧＷ３やＭＶＮＯ基地局２０に要求される。例えば、Ｈ−ＡＡＡサーバ５は、移動端末１ａが使用したパケット数や通信時間などの使用状況や、ＭＶＮＯ基地局２０の基地局識別子などを、課金額の算出に用いる情報として指定できる。
【００３７】
（１１）移動端末１ａの通信が終了すると、移動端末１ａは、切断要求メッセージをＡＳＮＧＷ３に送信し、ＡＳＮＧＷ３は移動端末１ａに切断応答メッセージを送信する。
（１２）移動端末１ａの通信が終了すると、ＡＳＮＧＷ３は、Ｈ−ＡＡＡサーバ５に課金停止要求メッセージを送信する。なお、課金停止要求メッセージを送信するときに、ＡＳＮＧＷ３がパケット数や通話時間などの使用状況をＨ−ＡＡＡサーバ５に通知することもできる。
【００３８】
（１３）Ｈ−ＡＡＡサーバ５は、使用状況などから課金額を算出する。また、Ｈ−ＡＡＡサーバ５からＡＳＮＧＷ３へ課金停止応答メッセージが送信され、課金に関する処理が終了する。
【００３９】
このように、認証や課金の際には、ＡＳＮＧＷ３からＨ−ＡＡＡサーバ５へ直接、認証要求メッセージや課金開始要求メッセージが送信される。従って、ＭＶＮＯ基地局２０を介して通信する移動端末１ａのアクセスの認証や課金について、Ｈ−ＡＡＡサーバ５が使用する情報は、ＭＮＯ事業者のＰ−ＡＡＡサーバ４に送られる情報と異なった情報とすることができる。このため、例えば、ＭＶＮＯ事業者は、ＭＮＯ事業者の課金方法や認証方法とは異なる課金方法や認証方法を取ることができる。例えば、ＭＶＮＯ事業者は、ＭＶＮＯ基地局２０の設置場所に応じて課金額を変動させることができ、また、期間限定の通話料値引きや、期間限定の寄付金徴収のための料金上乗せなどの課金方式の変更を、ＭＮＯ事業者の課金条件とは無関係に行うことができる。
【００４０】
なお、ケース１に述べた動作では、手順（３）でＡＳＮＧＷ３が転送する対象となる認証要求メッセージを選択している。このように、ＡＳＮＧＷ３において処理対象とする制御メッセージを選択することにより、いずれのＨ−ＡＡＡサーバ（５、６）でも処理されない制御メッセージがＨ−ＡＡＡサーバ５に転送されるのを防ぐことができる。従って、ＡＳＮＧＷ３の処理によって、Ｈ−ＡＡＡサーバ５への負荷を軽減することができる。
【００４１】
＜ケース２＞
次に、図２を参照しながら、ＭＶＮＯ基地局２０を介して、ＭＮＯユーザの移動端末１ｂが認証を要求する場合に行われる動作について述べる。なお、ＭＶＮＯ事業者は、ＭＶＮＯ基地局２０を介したＭＮＯユーザの移動端末１ｂの認証を拒否することができ、移動端末１ｂの認証を拒否する場合には、ケース２の動作は行われない。
【００４２】
まず、ＭＶＮＯ基地局２０の通信エリア内に位置する移動端末１ｂは、ＭＶＮＯ基地局２０に接続し、ＡＳＮＧＷ３の間で無線リンクを確立する。なお、ケース１と同様に、ＭＶＮＯ基地局２０を識別する基地局識別子は、例えば、報知信号などを使って１ｂに通知されており、無線リンクの確立もケース１と同様の手順で行われる。
【００４３】
次に、移動端末１ｂは、ＭＶＮＯ基地局２０の基地局識別子とＭＮＯ識別子が含まれている認証要求メッセージを作成し、ＭＶＮＯ基地局２０を介してＡＳＮＧＷ３に送信する。ＡＳＮＧＷ３は、ＭＶＮＯ基地局２０の基地局識別子が含まれている認証要求メッセージを受信すると、転送先をＭＶＮＯ事業者のＨ−ＡＡＡサーバ５に決定する。さらに、ＡＳＮＧＷ３は、認証要求メッセージを転送するかを、予め記憶しているＭＮＯ識別子と認証要求メッセージに含まれているＭＮＯ識別子を比較して決定する。両者が一致すると、ＡＳＮＧＷ３は、ＭＶＮＯ事業者のＨ−ＡＡＡサーバ５に認証要求メッセージを転送する。
【００４４】
ＭＶＮＯ事業者のＨ−ＡＡＡサーバ５は、ＡＳＮＧＷ３から認証要求メッセージを受信すると、ＭＶＮＯ識別子とＭＮＯ識別子のいずれが含まれているかを確認する。ＭＮＯ識別子を検出すると、Ｈ−ＡＡＡサーバ５は、移動端末１ｂがＭＮＯユーザの移動端末１であると判断する。
【００４５】
ＭＶＮＯ事業者のＨ−ＡＡＡサーバ５は、移動端末１ｂのアクセスについての認証要求メッセージを、ＭＮＯ事業者のＨ−ＡＡＡサーバ６に転送する。ＭＮＯ事業者のＨ−ＡＡＡサーバ６は、移動端末１ｂの認証を行い、認証応答メッセージをＭＶＮＯ事業者のＨ−ＡＡＡサーバ５に送信する。ＭＶＮＯ事業者のＨ−ＡＡＡサーバ５は、認証応答メッセージをＡＳＮＧＷ３に転送し、ＡＳＮＧＷ３は、ＭＶＮＯ基地局２０を介して移動端末１ｂに認証応答メッセージを転送する。認証が成功したときは、移動端末１ｂに対して、ＭＶＮＯ基地局２０を介した通信サービスが開始される。
【００４６】
図３、図４を参照しながら、移動端末１ｂがＭＶＮＯ基地局を介した通信を行うときの認証と課金の手順について説明する。ケース２では、ケース１で行われる動作の他に、図３および図４の点線で囲まれた動作が行われる。ＭＶＮＯ基地局２０と移動端末１ｂの間の無線リンクの確立は、ケース１で述べた手順（１）と同様に行われる。
【００４７】
（２）移動端末１ｂは、ＡＳＮＧＷ３へ認証要求メッセージを送信する。この認証要求メッセージには、ＭＶＮＯ基地局２０を識別する基地局識別子と、ＭＮＯ識別子が含まれている。
【００４８】
（３）ＡＳＮＧＷ３は、基地局識別子を用いて、ＭＶＮＯ基地局２０を経由した認証要求メッセージを受け取ったことを認識する。次に、ＭＮＯ識別子を確認して、認証要求メッセージを転送するかを決定する。ここでは、ＡＳＮＧＷ３でＭＮＯユーザの認証要求メッセージを転送するように設定されており、認証要求メッセージはＨ−ＡＡＡサーバ５へ転送する対象とされたものとする。
【００４９】
（４）ＡＳＮＧＷ３は、ＭＮＯ識別子を含む認証要求メッセージを、ＭＶＮＯ事業者のＨ−ＡＡＡサーバ５に転送する。
（４ａ）ＭＶＮＯ事業者のＨ−ＡＡＡサーバ５は、ＭＮＯ識別子を含む認証要求メッセージを、ＭＮＯ事業者のＨ−ＡＡＡサーバ６に転送する。ＭＮＯ事業者のＨ−ＡＡＡサーバ６は、移動端末１ｂの認証を行う。ここでは、移動端末１ｂのアクセスが認証されたものとする。
【００５０】
（４ｂ）ＭＮＯ事業者のＨ−ＡＡＡサーバ６は、ＭＶＮＯ事業者のＨ−ＡＡＡサーバ５に向けて、認証応答メッセージを送信する。
（５）ＭＶＮＯ事業者のＨ−ＡＡＡサーバ５は、ＡＳＮＧＷ３に向けて認証応答メッセージを転送する。
【００５１】
認証応答メッセージがＡＳＮＧＷ３から移動端末１ｂに転送されるときの動作から、課金開始要求メッセージがＨ−ＡＡＡサーバ５に送信されるまでの手順は、ケース１で述べた手順（６）〜手順（８）と同様である。
【００５２】
（８ａ）ＭＶＮＯ事業者のＨ−ＡＡＡサーバ５は、課金開始要求メッセージを、ＭＮＯ事業者のＨ−ＡＡＡサーバ６へ転送する。
（８ｂ）ＭＮＯ事業者のＨ−ＡＡＡサーバ６は、課金開始要求メッセージに応答する課金開始応答メッセージを、ＭＶＮＯ事業者のＨ−ＡＡＡサーバ５に送信する。
【００５３】
（９）ＭＶＮＯ事業者のＨ−ＡＡＡサーバ５は、課金開始応答メッセージをＡＳＮＧＷ３に転送し、移動端末１ｂの通信に対する課金額を算出するための処理を行う。すなわち、ＭＶＮＯ事業者のＨ−ＡＡＡサーバ５は、ＭＮＯ事業者のＨ−ＡＡＡサーバ６の代理として、移動端末１ｂのサービスの利用に対する課金額を算出する。
【００５４】
（１０）移動端末１ｂは、ホームエージェント７を介して、相手端末などの通信先との間でユーザデータ通信を行う。この間、ＭＶＮＯ事業者のＨ−ＡＡＡサーバ５は、ＡＳＮＧＷ３やＭＶＮＯ基地局２０などから、課金額の算出に用いる情報の通知を受ける。課金額の算出に用いる情報は、ケース１の場合と同様に、ＭＶＮＯ事業者の設定に応じた情報とすることができる。
【００５５】
（１１）移動端末１ｂの通信が終了すると、移動端末１ｂは、切断要求メッセージをＡＳＮＧＷ３に送信し、ＡＳＮＧＷ３は移動端末１ｂに切断応答メッセージを送信する。
（１２）移動端末１ｂの通信が終了すると、ＡＳＮＧＷ３は、Ｈ−ＡＡＡサーバ５に課金停止要求メッセージを送信する。
【００５６】
（１２ａ）ＭＶＮＯのＨ−ＡＡＡサーバ５は、ＭＮＯ事業者のＨ−ＡＡＡサーバ６に課金停止要求メッセージを転送する。なお、課金停止要求メッセージを転送する前に、ＭＶＮＯ事業者のＨ−ＡＡＡサーバ５が、移動端末１ｂの通信に対する課金額を算出している場合には、課金停止要求メッセージと共に課金額をＭＮＯ事業者のＨ−ＡＡＡサーバ６に通知することもできる。
【００５７】
（１２ｂ）ＭＮＯ事業者のＨ−ＡＡＡサーバ６は、課金停止要求メッセージを受信すると、ＭＶＮＯ事業者のＨ−ＡＡＡサーバ５へ課金停止応答メッセージを送信する。
（１３）ＭＶＮＯ事業者のＨ−ＡＡＡサーバ５は、課金停止応答メッセージをＡＳＮＧＷ３へ転送する。なお、ＭＶＮＯ事業者のＨ−ＡＡＡサーバ５は、課金停止応答メッセージを転送してから、移動端末１ｂへの課金額を算出することもできる。
【００５８】
このように、ＭＮＯユーザに対する認証や課金の際には、ＭＶＮＯ事業者のＨ−ＡＡＡサーバ５へ認証要求メッセージや課金開始要求メッセージが送信された後、ＭＮＯ事業者のＨ−ＡＡＡサーバ６へ転送される。従って、ＭＮＯ事業者は、ＭＶＮＯ基地局２０を経由してアクセスするユーザの認証に用いる情報を、ＭＶＮＯ事業者のＨ−ＡＡＡサーバ５が受信する認証要求メッセージに含まれている情報から選択することになる。また、ＭＶＮＯ事業者のＨ−ＡＡＡサーバ５が課金額を算出するため、課金額の算出方法などがＭＮＯ事業者とＭＶＮＯ事業者で異なっていたとしても、移動端末１ｂの通信に対する課金額はＭＶＮＯ事業者が使用している計算方法で計算される。
【００５９】
なお、ＡＳＮＧＷ３がＭＶＮＯ基地局２０を介した通信を許可するＭＮＯユーザの端末識別子を記憶している場合は、ＡＳＮＧＷ３は、手順（３）において、認証要求メッセージに含まれている端末識別子を記憶している端末識別子と比較する。認証要求メッセージ中の端末識別子がＡＳＮＧＷ３に記憶されている端末識別子と一致すると、認証要求メッセージがＨ−ＡＡＡサーバ５に転送される。このように変形すると、ＭＮＯユーザのうちの特定のユーザについてＭＶＮＯ基地局２０を介した通信を許可できるなど、ユーザごとにサービス内容を変更することができる。
【００６０】
＜ケース３＞
図５を参照しながら、基地局２を介して、ＭＶＮＯユーザの移動端末１ｃが認証を要求する場合に行われる動作について述べる。
【００６１】
まず、基地局２の通信エリア内に位置する移動端末１ｃは、基地局２に接続する。移動端末１ｃと基地局２の間の接続が確立されると、移動端末１ｃは、ＡＳＮＧＷ３の間で無線リンクを確立する。移動端末１ｃは、ＡＳＮＧＷ３との間の無線リンクを確立すると、認証を要求するための認証要求メッセージを生成し、基地局２を介してＡＳＮＧＷ３に送信する。この認証要求メッセージには、移動端末１ｃをユーザとして登録しているＭＶＮＯ事業者を識別するＭＶＮＯ識別子が含まれるが、移動端末１ｃが接続している基地局２の基地局識別子を含まないものとすることができる。
【００６２】
ＡＳＮＧＷ３は、受信した認証要求メッセージに基地局識別子が含まれていないことを確認すると、ＭＮＯ事業者が運用する基地局２を介して認証要求メッセージが送信されたと認識する。そこで、ＡＳＮＧＷ３は、ＭＮＯ事業者のＰ−ＡＡＡサーバ４へ、認証要求メッセージを転送する。
【００６３】
ＭＮＯ事業者のＰ−ＡＡＡサーバ４は、認証要求メッセージを受信すると、そのメッセージにより認証が要求されている移動端末１ｃがＭＮＯユーザの移動端末とＭＶＮＯユーザの移動端末のいずれであるかを判定する。このとき、Ｐ−ＡＡＡサーバ４は、認証要求メッセージにＭＶＮＯ識別子が含まれていると、ＭＶＮＯユーザの端末からの認証要求メッセージであると判定する。そこで、Ｐ−ＡＡＡサーバ４は、移動端末１ｃをＭＶＮＯユーザの移動端末１であると判定し、ＭＶＮＯ事業者のＨ−ＡＡＡサーバ５へ認証要求メッセージを転送する。
【００６４】
ＭＶＮＯ事業者のＨ−ＡＡＡサーバ５は、認証要求メッセージを受信すると、移動端末１ｃの認証を行い、Ｐ−ＡＡＡサーバ４へ認証応答メッセージを送信する。Ｐ−ＡＡＡサーバ４は、ＡＳＮＧＷ３とＭＶＮＯ基地局２０を介して移動端末１ｃに応答メッセージを転送する。認証に成功したときは、移動端末１ｃに対してＭＶＮＯ基地局２０を介した通信サービスが開始される。
【００６５】
なお、ここでは、移動端末１ｃから送信される認証要求メッセージには、基地局識別子が含まれていないこととしたが、移動端末１は、基地局２を識別する基地局識別子を含む認証要求メッセージをＡＳＮＧＷ３に送信することもできる。この場合、ＡＳＮＧＷ３は、認証要求メッセージに基地局２の基地局識別子が含まれていることを確認すると、Ｐ−ＡＡＡサーバ４に認証要求メッセージを送信するように設定できる。すなわち、ＡＳＮＧＷ３は、ＭＶＮＯ基地局２０を経由したメッセージをＨ−ＡＡＡサーバ５へ転送し（ケース１）、基地局２を経由したメッセージをＰ−ＡＡＡサーバ４に転送できる（ケース３）。このように、ＡＳＮＧＷ３は、認証要求メッセージが経由した基地局に応じて認証要求メッセージの転送先を決定できる。
【００６６】
図６は、基地局２を介して、移動端末１ｃの認証と課金が行われるときの動作の一例を説明するシーケンス図である。図６を参照しながら、移動端末１ｃが基地局２を介した通信を行うときの認証と課金について説明する。
【００６７】
（１）移動端末１ｃとＡＳＮＧＷ３の間で無線リンクが確立される。
（２）移動端末１ｃは、ＡＳＮＧＷ３へ、ＭＶＮＯ識別子を含む認証要求メッセージを送信する。
【００６８】
（３）ＡＳＮＧＷ３は、基地局２を経由して受信した認証要求メッセージを、ＭＮＯ事業者のＰ−ＡＡＡサーバ４に転送する。認証要求メッセージが基地局２を経由していることは、前述のとおり、認証要求メッセージに基地局識別子が含まれていないことから検出することができる。
【００６９】
（４）Ｐ−ＡＡＡサーバ４は、認証要求メッセージに含まれているＭＶＮＯ識別子から、移動端末１ｃがＭＶＮＯユーザであることを検出すると、ＭＶＮＯ事業者のＨ−ＡＡＡサーバ５に、認証要求メッセージを転送する。
【００７０】
（５）ＭＶＮＯ事業者のＨ−ＡＡＡサーバ５は、受信した認証要求メッセージに基づいて、移動端末１ｃのアクセスを認可するかを決定し、認証応答メッセージをＭＮＯ事業者のＰ−ＡＡＡサーバ４へ送信する。なお、ここでは、移動端末１ｃのアクセスが認可されたものとする。
【００７１】
（６）ＭＮＯ事業者のＰ−ＡＡＡサーバ４は、ＡＳＮＧＷ３へ、認証要求メッセージを転送する。
（７）ＡＳＮＧＷ３は、基地局２を介して移動端末１ｃへ認証応答メッセージを転送する。
【００７２】
（８）アクセスが認可されると、移動端末１ｃに割り当てられたＩＰアドレスを用いて、移動端末１ｃとホームエージェント７の間でＡＳＮＧＷ３を介した接続が確立される。
（９）ＡＳＮＧＷ３は、ＭＮＯ事業者のＰ−ＡＡＡサーバ４に対して課金開始要求メッセージを送信する。
【００７３】
（１０）ＭＮＯ事業者のＰ−ＡＡＡサーバ４は、移動端末１ｃがＭＶＮＯユーザの移動端末１であるため、課金開始要求メッセージをＭＶＮＯ事業者のＨ−ＡＡＡサーバ５に転送する。
【００７４】
（１１）ＭＶＮＯ事業者のＨ−ＡＡＡサーバ５は、ＭＮＯ事業者のＰ−ＡＡＡサーバ４に課金開始応答メッセージを送信し、移動端末１ｃの通信に対する課金を開始する。
（１２）ＭＮＯ事業者のＰ−ＡＡＡサーバ４は、ＡＳＮＧＷ３に課金開始応答メッセージを転送する。
【００７５】
（１３）移動端末１ｃは、ホームエージェント７を介して、相手端末などの通信先との間でユーザデータ通信を行う。この間、Ｈ−ＡＡＡサーバ５は、Ｐ−ＡＡＡサーバ４を介して、ＡＳＮＧＷ３や基地局２などから、課金額の算出に用いる情報の通知を受ける。
【００７６】
（１４）移動端末１ｃの通信が終了すると、移動端末１ｃは、切断要求メッセージをＡＳＮＧＷ３に送信し、ＡＳＮＧＷ３は移動端末１ｃに切断応答メッセージを送信する。
（１５）移動端末１ｃの通信が終了すると、ＡＳＮＧＷ３は、ＭＮＯ事業者のＰ−ＡＡＡサーバ４へ課金停止要求メッセージを送信する。
【００７７】
（１６）ＭＮＯ事業者のＰ−ＡＡＡサーバ４は、ＭＶＮＯ事業者のＨ−ＡＡＡサーバ５に課金停止要求メッセージを転送する。
（１７）ＭＶＮＯ事業者のＨ−ＡＡＡサーバ５は、課金停止応答メッセージを、ＭＮＯ事業者のＰ−ＡＡＡサーバ４に送信する。Ｈ−ＡＡＡサーバ５は、使用状況などから課金額を算出する。
（１８）Ｐ−ＡＡＡサーバ４からＡＳＮＧＷ３へ課金停止応答メッセージが転送され、課金に関する処理が終了する。
【００７８】
＜ケース４＞
図５を参照しながら、基地局２を介して、ＭＮＯユーザの移動端末１ｄが認証を要求する場合に行われる動作について述べる。
基地局２の通信エリア内に位置する移動端末１ｄは、基地局２に接続した後、ＡＳＮＧＷ３との間で無線リンクを確立する。次に、移動端末１ｄは、ＭＮＯ識別子を含む認証要求メッセージを生成し、基地局２を介してＡＳＮＧＷ３に送信する。
【００７９】
ＡＳＮＧＷ３は、ケース３で述べた方法のいずれかを用いて、ＭＮＯ事業者が運用する基地局２を介して認証要求メッセージが送信されたと認識し、ＭＮＯ事業者のＰ−ＡＡＡサーバ４へ、認証要求メッセージを転送する。
【００８０】
ＭＮＯ事業者のＰ−ＡＡＡサーバ４は、認証要求メッセージにＭＮＯ識別子が含まれていることを確認すると、認証を要求している移動端末１ｄはＭＮＯユーザの移動端末であると判定する。そこで、Ｐ−ＡＡＡサーバ４は、ＭＮＯ事業者のＨ−ＡＡＡサーバ６へ認証要求メッセージを転送する。
【００８１】
ＭＮＯ事業者のＨ−ＡＡＡサーバ６は、認証要求メッセージを受信すると、移動端末１ｄの認証を行い、Ｐ−ＡＡＡサーバ４へ認証応答メッセージを送信する。Ｐ−ＡＡＡサーバ４は、ＡＳＮＧＷ３と基地局２を介して移動端末１ｄに応答メッセージを転送する。認証に成功したときは、移動端末１ｄは、基地局２を介した通信サービスが開始される。
【００８２】
ＭＮＯユーザの移動端末１ｄへの認証および課金の際に行われる動作は、図６を参照しながらケース３で述べた動作とほぼ同様である。ただし、ＭＮＯユーザの認証や課金は、ＭＮＯ事業者のＨ−ＡＡＡサーバ６で行われる。そのため、ケース３で述べた手順（４）、（５）、（１０）、（１１）、（１６）および（１７）において、ＭＶＮＯ事業者Ｈ−ＡＡＡサーバ５が行っている動作は、ケース４では、ＭＮＯ事業者のＨ−ＡＡＡサーバ６が行う。
【００８３】
以上に述べたように、ケース１〜４で述べたように動作するシステムでは、ＭＶＮＯ基地局２０を介してＡＳＮＧＷ３に送信された認証要求メッセージは、ＭＶＮＯ事業者のＨ−ＡＡＡサーバ５に送信される。すなわち、移動端末１がＭＶＮＯ事業者のユーザの端末であるか、または、ＭＮＯ事業者のユーザの端末であるかには依存せずに、認証要求メッセージが経由した基地局に応じて、その認証要求メッセージの転送先が決定される。従って、ケース１、２で述べたように、ＭＶＮＯ基地局２０を経由した認証要求メッセージは、ＭＮＯ事業者のユーザの端末から送信された場合も、ＭＶＮＯ事業者のユーザから送信された場合も、Ｈ−ＡＡＡサーバ５に転送される。なお、図２〜６の説明では、ＡＳＮＧＷ３等は、受信した認証要求メッセージを転送すると述べたが、受信した認証要求メッセージをもとにしてＲＡＤＩＵＳ（Remote Authentication Dial In User Service）メッセージを作成して送信することもできる。
【００８４】
前述のとおり、ＭＶＮＯ基地局２０を経由する認証要求メッセージは、Ｐ−ＡＡＡサーバ４を経由せずに、ＭＶＮＯ事業者のＨ−ＡＡＡサーバ５に転送される。このため、ＭＶＮＯ基地局２０を介した通信について、ＭＶＮＯ事業者が認証や課金に際して使用する情報は、ＭＮＯ事業者が認証や課金に用いる情報と同じ情報でなくてもよい。従って、ＭＶＮＯ事業者は、ＭＶＮＯ基地局２０を介した通信の認証や課金について、ＭＶＮＯ事業者の裁量による条件設定をすることができ、認証や課金の方法を自由にカスタマイズすることができる。
【００８５】
また、ケース１〜４のように動作するシステムでは、Ｐ−ＡＡＡサーバ４の負荷を軽減することもできるため、ＭＮＯ事業者にも有用なシステムであるといえる。ＭＶＮＯ基地局２０を経由した認証要求メッセージはＰ−ＡＡＡサーバ４に送られないため、Ｐ−ＡＡＡサーバ４は基地局２を経由して受信した認証要求メッセージだけを処理すればよく、Ｐ−ＡＡＡサーバ４が処理するメッセージの数を減らすことができる。従って、今後、ＭＮＯ事業者やＭＶＮＯ事業者の事業拡大によって、Ｐ−ＡＡＡサーバ４の負荷が大きくなっても、前述の方法を導入することにより、Ｐ−ＡＡＡサーバ４の負荷を軽減できる。
【００８６】
図７は、ＭＶＮＯ基地局２０を介した通信に対する課金によって発生する料金の支払方法の一例を説明する図である。ＭＶＮＯユーザ３１がＭＶＮＯ基地局２０を介して通信すると、ケース１で述べたように、ＭＶＮＯ事業者のＨ−ＡＡＡサーバ５で認証と課金が行われる。そこで、図７に示すように、ＭＶＮＯ３２は、ＭＶＮＯユーザ３１に対してサービスを提供し、ＭＶＮＯユーザ３１はＭＶＮＯ３２にユーザ使用料を支払う。
【００８７】
一方、ケース２に示したように、ＭＮＯユーザ３３がＭＶＮＯ基地局２０を介して通信するときには、認証は、ＭＮＯ事業者のＨ−ＡＡＡサーバ６で行われる。Ｈ−ＡＡＡサーバ６での認証に成功すると、ＭＶＮＯ３２はＭＮＯ３４の代理として、移動端末１ｂに対して、ＭＶＮＯ基地局２０を介した通信（代理サービス）を提供する。また、ＭＶＮＯ事業者のＨ−ＡＡＡサーバ５が、代理サービスの使用料を計算する。そこで、ＭＶＮＯ３２とＭＮＯユーザ３３の関係では、図７に示すように、ＭＶＮＯ３２が、ＭＮＯユーザ３３に対して通信サービスの提供と課金額の算出を行う。ＭＮＯユーザ３３は、ＭＮＯ３４に対してユーザ使用料を支払う。ここで、ＭＮＯユーザ３３は、ＭＶＮＯ３２からＭＮＯ３４の代理としてサービスの提供を受けても、ＭＶＮＯ３２との間にユーザ契約等が無いため、ＭＶＮＯ３２に直接的に使用料を支払うことはない。
【００８８】
ユーザ使用料をＭＮＯユーザ３３から受け取ったＭＮＯ３４は、ＭＶＮＯ３２にＭＮＯユーザへの代理サービスの使用料を支払う。また、ＭＶＮＯ３２は、ＲＡＮ（Radio Access Network）をＭＮＯ３４から借りてサービスを提供しているため、ＲＡＮ接続料をＭＮＯ３４に支払う。なお、ＭＮＯ３４とＭＶＮＯ３２の間の契約などにより、ＭＮＯユーザ使用料とＲＡＮ接続料とを相殺した残りの額をＭＶＮＯ３２からＭＮＯ３４に支払うこともできる。
【００８９】
なお、ＭＶＮＯ３２は課金額を計算するときに、ＭＮＯユーザ３３の代理サービスの使用料を、ＭＶＮＯユーザ３１のユーザ使用料と異なる方法で計算することができる。また、課金方法は、パケット課金方式、時間課金方式のいずれの方式を用いることもできる。さらに、課金額の計算には、固定制、従量制、従量課金上限制など任意の計算方法を用いることができる。課金額の計算に用いる通信時間や通信パケット数などのデータは、ＭＶＮＯ基地局２０が管理することができ、また、ＡＳＮＧＷ３が管理することもできる。ＭＶＮＯ事業者のＨ−ＡＡＡサーバ５は、ＭＶＮＯ基地局２０やＡＳＮＧＷ３から得られた情報に基づいて課金額を計算し、ＭＮＯ３４のＨ−ＡＡＡサーバ６に通知する。
【００９０】
図８は、ＡＳＮＧＷ３の動作の一例を説明するフローチャートである。ステップＳ１１〜Ｓ１３およびＳ１７は、ケース３およびケース４の場合のＡＳＮＧＷ３の動作である。ステップＳ１１、Ｓ１２、Ｓ１４〜Ｓ１７は、ケース１での動作を表している。また、ステップＳ１１、Ｓ１２、Ｓ１４〜Ｓ１８は、ケース２での動作を表している。図８に示す例では、移動端末１からＡＳＮＧＷ３に送信される認証要求メッセージには、ＭＶＮＯ基地局２０を識別する基地局識別子か、基地局２を識別するＭＮＯ基地局識別子のいずれかが含まれているものとする。なお、図８の説明では、ＡＳＮＧＷ３は、受信した認証要求メッセージをもとにＲＡＤＩＵＳメッセージを作成してＰ−ＡＡＡサーバ４もしくはＨ−ＡＡＡサーバ５に送信している。
【００９１】
ＡＳＮＧＷ３は、移動端末１から認証要求メッセージを受信すると、認証要求メッセージに含まれている基地局識別子もしくはＭＮＯ基地局識別子を確認し、ＭＶＮＯ基地局２０を介して認証要求メッセージを受信したかを判定する（ステップＳ１１、Ｓ１２）。基地局２を介して認証要求メッセージを受信した場合には、ＡＳＮＧＷ３は、受信した認証要求メッセージをもとに作成したＲＡＤＩＵＳメッセージをＰ−ＡＡＡサーバ４に送信する（ステップＳ１３、Ｓ１７）。
【００９２】
一方、ＭＶＮＯ基地局２０から認証要求メッセージを受信した場合には、ＡＳＮＧＷ３は、認証要求メッセージに含まれているＭＶＮＯ識別子とＡＳＮＧＷ３に記憶されているＭＶＮＯ識別子を比較する（ステップＳ１４）。両者が一致すると、ＡＳＮＧＷ３は、受信した認証要求メッセージをもとに作成したＲＡＤＩＵＳメッセージにＭＶＮＯ事業者のＨ−ＡＡＡサーバ５の情報を入れて、Ｈ−ＡＡＡサーバ５へ送信する（ステップＳ１５〜Ｓ１７）。
【００９３】
ＭＶＮＯ基地局２０から受信した認証要求メッセージに含まれているＭＶＮＯ識別子がＡＳＮＧＷ３に記憶されているＭＶＮＯ識別子と異なっている場合には、認証要求メッセージを送信した移動端末１はＭＮＯユーザの端末である。そこで、ＭＶＮＯ識別子が記憶されている識別子と異なるときには、ＭＮＯユーザの接続を許可するかについて判定する（ステップＳ１８）。ＭＮＯユーザの接続を許可する場合には、ＲＡＤＩＵＳメッセージをＭＶＮＯ事業者のＨ−ＡＡＡサーバ５に送信する（ステップＳ１５〜Ｓ１７）。一方、ＭＮＯユーザの接続を許可しない場合には、接続を拒否して終了する（ステップＳ１９）。接続を拒否するときには、エラーメッセージを移動端末１に送信することができ、また、移動端末１への通知をせずにＡＳＮＧＷ３の動作を終了させることもできる。
【００９４】
以上に述べたように、ＭＶＮＯ基地局２０を経由した認証要求メッセージはＭＶＮＯ事業者のＨ−ＡＡＡサーバ５で直接処理するため、ＭＶＮＯ事業者は、ＭＶＮＯ基地局２０を経由する認証や課金の方法を自由にカスタマイズすることができる。このため、例えば、ＭＶＮＯ基地局２０に応じて使用料を変更することなどができ、離島や山村など、通信インフラの整備が困難な地域に設置されたＭＶＮＯ基地局２０では上乗せ料金制を採用するなどして、採算が合うような料金体系にすることができる。このため、ＭＶＮＯ事業者は、本実施形態の方法を使用して離島などにＭＶＮＯ基地局２０を用いた事業を展開することができ、結果として、デジタルデバイドの解消につながる。また、ＭＶＮＯ事業者がシェアを広げたい地域においては、逆に、ターゲットとなる領域のＭＶＮＯ基地局２０を介した通信にはディスカウント料金を設定することができる。
【００９５】
このようなＭＶＮＯ基地局２０ごとの課金条件は、Ｈ−ＡＡＡサーバ５において一括して設定や変更をすることができ、Ｈ−ＡＡＡサーバ５において、オペレータが任意のユーザインタフェースやコマンドを用いて設定できる。また、予め、Ｈ−ＡＡＡサーバ５において複数の課金条件を用意しておき、課金条件を設定もしくは変更するときに、Ｈ−ＡＡＡサーバ５は、設定対象のＭＶＮＯ基地局２０に対して適応する課金条件を通知することもできる。また、Ｈ−ＡＡＡサーバ５は、課金条件を一定エリアごとに設定もしくは変更することもできる。
【００９６】
ここで、ＭＶＮＯ事業者は、ディスカウント料金や上乗せ料金など、課金条件が通常料金と異なる場合には、ユーザに通知することが望ましい場合がある。例えば、ディスカウント料金が適応される場合に、移動端末１においてその旨が表示などによってユーザに認識されると宣伝効果が予想される。一方、上乗せ料金が適応される場合には、そのことを移動端末１に通知することができれば、課金額についてのユーザとのトラブルを防ぐことができる。また、ユーザ側も、課金条件が異なる複数の基地局の通信エリアに位置する場合には、好ましい条件の基地局を接続先として選択できるシステムが望ましい。
【００９７】
そこで、ＭＶＮＯ基地局２０や基地局２が、課金条件などの接続に関する条件を移動端末１に通知することができ、ユーザ側も接続する基地局を選択できるシステムを、図９〜図１６を参照しながら述べる。以下に説明する方法を用いると、ＭＶＮＯ事業者は、ＭＶＮＯユーザが移動端末１を接続する基地局を選択可能なサービスを提供できる。また、このシステムでは、ＭＶＮＯ事業者が特定のＭＮＯユーザと契約をすることなどによって、契約対象のＭＮＯユーザについても同様に、基地局の選択を可能にすることもできる。
【００９８】
図９は、移動端末１ａが接続先の基地局を選択する方法の一例を説明する図である。移動端末１ａは、基地局２とＭＶＮＯ基地局２０の両方の基地局の通信エリアに位置するものとする。ＭＶＮＯ基地局２０と基地局２は、それぞれ、報知信号を送信するときに、その基地局を介して受けることができるサービスや課金条件などの条件を移動端末１ａに通知する。移動端末１ａでは、予め設定されている接続ポリシーに従って接続する基地局を選択し、レンジングメッセージ（Initial Ranging）を送信する。なお、移動端末１ａに接続ポリシーを予め定めていない場合には、移動端末１ａに備えられている画面にＭＶＮＯ基地局２０および基地局２から送られた条件を表示し、ユーザからの入力に応じて接続する基地局を決定することもできる。
【００９９】
図１０は、移動端末１ａが接続先の基地局を選択する場合に行う動作の一例を説明するシーケンス図である。移動端末１ａは、基地局２とＭＶＮＯ基地局２０の２つの基地局の通信エリアが重なった領域に位置していて、基地局２とＭＶＮＯ基地局２０の両方から報知信号を受信する。図１０の例では、基地局２とＭＶＮＯ基地局２０のそれぞれから受け取ったサービス情報を比較して、ＭＶＮＯ基地局２０に接続する場合について述べる。
【０１００】
（１）基地局２とＭＶＮＯ基地局２０は、それぞれ（１ａ）および（１ｂ）に示すように、報知信号をブロードキャストする。報知信号には、ＤＣＤ（Downlink Channel Descriptor）メッセージ、ＵＣＤ（Uplink Channel Descriptor）メッセージ、ＤＬ−ＭＡＰ（Downlink Mapping Message）、ＵＬ−ＭＡＰ（Uplink Mapping Message）、および、サービス情報が含まれている。なお、基地局２およびＭＶＮＯ基地局２０は、各々の基地局を識別するための基地局識別子を報知信号に含めて送信している。基地局識別子として例えば、ＣＤＭＡコードを用いることができるが、基地局識別子は、基地局を一意に特定できる任意の識別子とすることができる。
【０１０１】
ここで、サービス情報には、移動端末１ａが接続先の端末を選択するために使用することができる任意の条件が含まれ、例えば、その基地局を使用したときに適用される料金体系や、提供サービス、スループットなどとすることができるが、これらに限定されない。なお、ＤＣＤメッセージは、下り回線の物理レイヤの特性を規定し、ＵＣＤメッセージは、上り回線の物理レイヤの特性を規定する。ＤＬ−ＭＡＰは、下りのバースト割り当て情報を含み、ＵＬ−ＭＡＰは、上りのバースト割り当て情報を含む。
【０１０２】
図１１は、基地局からブロードキャストされる報知信号４０の例を示す図である。報知信号４０は、ヘッダ４１、メッセージコンテンツ４２、チェックフィールド４３、サービス情報フィールド４４を含む。ヘッダ４１やメッセージコンテンツ４２（４２ａ、４２ｂ）には、信号が報知信号４０であることを示す情報や、ＤＣＤメッセージ、ＵＣＤメッセージ、ＤＬ−ＭＡＰ、ＵＬ−ＭＡＰなどが含まれる。チェックフィールド４３は、サービス情報が送信されているかを示すフィールドであり、移動端末１ａは、チェックフィールド４３を確認してサービス情報がサービス情報フィールド４４に含まれているかを認識する。例えば、サービス情報フィールド４４にサービス情報が含まれていると、チェックフィールド４３の全てのビットが「１」であるなど、予め、基地局（２、２０）と移動端末１は、サービス情報が含まれているときのチェックフィールド４３の値を認識している。移動端末１ａがサービス情報を用いて接続先の基地局を選択する手順は、後で詳しく述べる。
【０１０３】
（２）基地局２とＭＶＮＯ基地局２０は、（２ａ）と（２ｂ）に示すように、ＵＬ−ＭＡＰメッセージをブロードキャストする。移動端末１ａは、ＵＬ−ＭＡＰメッセージから、基地局２およびＭＶＮＯ基地局２０がイニシャルレンジングを行う間隔を取得する。
【０１０４】
（３）移動端末１ａは、基地局２とＭＶＮＯ基地局２０のそれぞれから送信されたサービス情報の内容と移動端末１ａの接続ポリシーを比較して、接続先の基地局を決定する。
図１２はサービス情報フィールドと移動端末１ａの接続ポリシーの例を示す図である。ここで、基地局２から送信された報知信号４０にサービス情報フィールド４４ａが含まれ、ＭＶＮＯ基地局２０から送信された報知信号４０には、サービス情報フィールド４４ｂが含まれているものとする。また、移動端末１ａの接続ポリシーの例をサービス情報フィールド４４に記載されている方式で表すと、サービス情報フィールド４４ｃのように表記できるものとする。この例では、移動端末１ａは、サービスＡ、Ｃ、Ｄは使用しないが、サービスＢを使用する設定になっている。そこで、移動端末１ａは、基地局２とＭＶＮＯ基地局２０から報知信号４０を受信すると、受け取ったメッセージのサービス情報フィールド４４ａとサービス情報フィールド４４ｂを確認し、サービスＢを提供している基地局を検索する。図１２に示されているように、基地局２はサービスＢを提供していないが、ＭＶＮＯ基地局２０ではサービスＢの提供が受けられるため、移動端末１ａは、ＭＶＮＯ基地局２０を接続先の基地局として選択する。
【０１０５】
（４）移動端末１は、接続先の基地局として決定したＭＶＮＯ基地局２０にＩｎｉｔｉａｌ  Ｒａｎｇｉｎｇメッセージを送信する。このとき、移動端末１は、Ｉｎｉｔｉａｌ  Ｒａｎｇｉｎｇメッセージに、ＭＶＮＯ基地局２０を識別する基地局識別子を含める。一方、接続先として選択されなかった基地局２へは、移動端末１は応答しない。
【０１０６】
（５）ＭＶＮＯ基地局２０は、Ｉｎｉｔｉａｌ  Ｒａｎｇｉｎｇメッセージから移動端末１ａの無線状況を確認して、ＲＮＧ  ＲＥＳ（Ranging Response）メッセージを移動端末１ａに送信する。移動端末１の無線状況がＭＶＮＯ基地局２０の要求する条件であれば、ＭＶＮＯ基地局２０は、「Ｓｕｃｃｅｓｓ」を示すメッセージを移動端末１ａに送信する。一方、移動端末１ａの無線状況がＭＶＮＯ基地局２０の要求する条件範囲に無い場合には、ＭＶＮＯ基地局２０は、「Ａｂｏｒｔ」もしくは「Ｃｏｎｔｉｎｕｅ」を示すメッセージを、移動端末１ａに送信する。
【０１０７】
（６）移動端末１ａに「Ｓｕｃｃｅｓｓ」を示すメッセージを送信した場合、ＭＶＮＯ基地局２０は、ＵＬ−ＭＡＰメッセージに含まれるＣＤＭＡ  Ａｌｌｏｃａｔｉｏｎにレンジングが成功したことを記録して移動端末１に送信する。
【０１０８】
（７）移動端末１ａは、ＲＮＧ  ＲＥＱ（Ranging Request）メッセージをＭＶＮＯ基地局２０に送信して、帯域割り当て手続きに入る。
（８）ＭＶＮＯ基地局２０は、ＲＮＧ  ＲＥＳメッセージを移動端末１ａに送信してＲＦ電力レベル調整値、周波数オフセット値、タイミングオフセット値などを移動端末１に通知する。
【０１０９】
（９）移動端末１ａとＭＶＮＯ基地局２０の接続が確立し、移動端末１ａは、ＭＶＮＯ基地局２０を介してＭＶＮＯ事業者のＨ−ＡＡＡサーバ５との間で認証応答メッセージ処理を行う。
【０１１０】
図１３は、基地局の選択が可能な接続方法での基地局の動作の一例を説明するフローチャートである。基地局（２、２０）は、ＤＣＤメッセージ、ＵＣＤメッセージ、ＤＬ−ＭＡＰ、ＵＬ−ＭＡＰとともに、サービス情報をブロードキャストして、通信エリアに位置する移動端末１に提供サービスなどのサービス情報を通知する（ステップＳ２１）。移動端末１ａからＩｎｉｔｉａｌ  Ｒａｎｇｉｎｇメッセージを受信した基地局は、移動端末１ａの接続処理を行う（ステップＳ２２、Ｓ２３）。
【０１１１】
図１４は、基地局の選択が可能な接続方法での移動端末１ａの動作の一例を説明するフローチャートである。移動端末１ａは、基地局（２、２０）から受信したサービス情報を接続ポリシーと比較して接続する基地局を決定する（ステップＳ３１）。次に、接続先として選択した基地局にＩｎｉｔｉａｌ  Ｒａｎｇｉｎｇメッセージを送信し、接続処理を行う（ステップＳ３２、Ｓ３３）。
【０１１２】
このような方法を用いることによって、ＭＶＮＯユーザや契約したＭＮＯユーザなどに対して、基地局を選択可能な接続方法が提供される。図１２を参照して説明した手順（３）では、移動端末１ａが記憶している接続ポリシーに従って接続先の基地局を選択していたが、移動端末１ａは、ユーザからの入力に従って接続先の基地局を選択することもできる。この場合には、例えば、接続可能な基地局と、それぞれの基地局で適用される料金を画面に表示する。次に、ディスカウント料金が適用されるＭＶＮＯ基地局２０をユーザが選択すると、移動端末１は、手順（４）で、選択されたＭＶＮＯ基地局２０にＩｎｉｔｉａｌ  Ｒａｎｇｉｎｇメッセージを送信する。
【０１１３】
図１２を参照しながら、移動端末１が希望するサービスを提供するＭＶＮＯ基地局２０がある例について述べたが、移動端末１ａが接続できる基地局２もしくはＭＶＮＯ基地局２０のいずれも移動端末１ａの接続条件に一致しない可能性もある。そこで、移動端末１ａは、希望するサービスを提供する基地局（２、２０）が無い場合に基地局を選択する条件を別途記憶することができる。例えば、サービスの優先順位を設定し、「サービスＢ、サービスＡ、サービスＣ、サービスＤ」などの順に設定しておき、サービスＢを提供可能な基地局が無い場合には、サービスＡを提供できる基地局に接続するように設定できる。
【０１１４】
また、サービスの種類だけでなく、課金条件に基づいて接続方法を設定することもできる。例えば、移動端末１ａでは、通常料金かディスカウント料金が適用される基地局には接続するが、上乗せ料金が適用される基地局には接続しないように設定することもできる。また、課金条件の優先順位を「ディスカウント料金、通常料金、上乗せ料金」の順に設定しておいて、通常料金が適用される基地局が無い場合に、上乗せ料金が設定される基地局に接続されるように設定することもできる。
【０１１５】
図１５は、移動端末１ｂが基地局に接続する場合に行う動作の一例を説明する図である。ここで、移動端末１ｂは、接続する基地局を選択するためのサービス情報の報知に対応していない移動端末１であるとする。すると、移動端末１ｂは、チェックフィールド４３でサービス情報が含まれていることを示している報知信号４０を受け取っても、サービス情報フィールド４４の内容を使って接続先の基地局を選択しない。基地局２またはＭＶＮＯ基地局２０から送信された報知信号４０の強度などに応じて接続先の基地局が決定される。
【０１１６】
図１６は、移動端末が基地局に接続する場合に行う動作の一例を説明するシーケンス図である。
（１）基地局２とＭＶＮＯ基地局２０は、それぞれ手順（１ａ）および（１ｂ）に示すように、報知信号をブロードキャストする。報知信号には、ＤＣＤメッセージ、ＵＣＤメッセージ、ＤＬ−ＭＡＰ、ＵＬ−ＭＡＰ、および、基地局識別子が含まれている。
【０１１７】
（２）基地局２とＭＶＮＯ基地局２０は、（２ａ）および（２ｂ）に示すように、ＵＬ−ＭＡＰメッセージをブロードキャストする。
（３）移動端末１ｂは、ＵＬ−ＭＡＰメッセージから、基地局２およびＭＶＮＯ基地局２０がイニシャルレンジングを行う間隔を取得する。また、移動端末１ｂは、手順（１）で受信した放置信号の強度などから接続先となる基地局を選択し、Ｉｎｉｔｉａｌ  Ｒａｎｇｉｎｇメッセージを送信する。ここで、移動端末１ｂは、サービス情報の報知に対応していない移動端末１であるため、サービス情報フィールド４４にサービス情報が含まれていても、サービス情報を基地局の選択に用いない。
【０１１８】
手順（４）〜（８）の動作は、図１０を参照して述べた手順（５）〜（９）と同様である。接続先となるＭＶＮＯ基地局２０は、「Ｓｕｃｃｅｓｓ」を示すＲＮＧ  ＲＳＰメッセージとＣＤＭＡ  Ａｌｌｏｃａｔｉｏｎを移動端末１ｂに送信する。移動端末１ｂとＭＶＮＯ基地局２０の間で帯域の割り当てや周波数オフセット値の通知などが終わると、移動端末１ｂは、ＭＶＮＯ基地局２０を介してＨ−ＡＡＡサーバ５との間で認証応答メッセージ処理を行う。
【０１１９】
このように、チェックフィールド４３を用いてサービス情報を通知するため、サービス情報を用いて基地局を選択しない移動端末１の動作を妨げることなく、報知信号４０でサービス情報を通知することができる。
【０１２０】
＜その他＞
本発明は上記の実施形態に限られるものではなく、様々に変形可能である。以下にその例をいくつか述べる。
【０１２１】
以上の説明では、ＭＶＮＯ事業者が１つの場合について説明したが、第１のＭＶＮＯ事業者と第２のＭＶＮＯ事業者がサービスを提供しており、ＭＶＮＯ基地局２０は、第１のＭＶＮＯ事業者が運用している場合の認証についてケース１の動作の変形例を述べる。この変形例では、第１のＭＶＮＯ事業者は、第２のＭＶＮＯ事業者にＭＶＮＯ基地局２０を使用したサービス提供をさせないようにすることができる。このとき、ＡＳＮＧＷ３は、予め、第１のＭＶＮＯ事業者を識別する識別子を、制御メッセージを転送する対象の事業者として記憶しているが、第２のＭＶＮＯ事業者のＭＶＮＯ識別子は記憶していない。
【０１２２】
ケース１の手順（３）において、ＡＳＮＧＷ３は、認証要求メッセージに含まれるＭＶＮＯ識別子を確認し、ＭＶＮＯ識別子が制御メッセージを転送する対象の事業者として指定されているかを確認する。例えば、基地局識別子によりＭＶＮＯ基地局２０が指定され、ＭＶＮＯ識別子が第１のＭＶＮＯ事業者であれば、ＡＳＮＧＷ３は、第１のＭＶＮＯ事業者のＨ−ＡＡＡサーバ５に認証要求メッセージを送信する。一方、ＭＶＮＯ基地局２０を指定する認証要求メッセージに含まれたＭＶＮＯ識別子が第２のＭＶＮＯ事業者を識別する識別子である場合には、ＡＳＮＧＷ３は、認証を拒否し、認証要求メッセージを転送しない。
【０１２３】
このように変形することにより、複数のＭＶＮＯ事業者が事業を展開している地域において、第１のＭＶＮＯ事業者は、他のＭＶＮＯ事業者のユーザの認証や課金を拒否することができる。
【０１２４】
また、ケース２で述べた動作を変形することにより、ＭＶＮＯ基地局２０を運営しているＭＶＮＯ事業者とは別のＭＶＮＯ事業者のユーザの移動端末１の認証をすることができる。すなわち、第１のＭＶＮＯ事業者のＭＶＮＯ基地局２０を介して、第３のＭＶＮＯ事業者のユーザの移動端末１のアクセスを認証する場合には、ケース２で述べた動作と同様の動作が行われる。このとき、予め、ユーザの通信を認める第３のＭＶＮＯ事業者のＭＶＮＯ識別子をＡＳＮＧＷ３に登録することができる。すると、ＭＶＮＯ識別子が登録されている第３のＭＶＮＯ事業者のユーザについては、認証を行い、課金額を計算することができる。かかる場合には、第１のＭＶＮＯ事業者は、Ｈ−ＡＡＡサーバ５で計算された課金額を第３のＭＶＮＯ事業者に通知し、第３のＭＶＮＯ事業者からＭＶＮＯ基地局２０の使用料などを回収することができる。
【０１２５】
また、これまでに述べたいずれの実施形態も、モバイルＩＰを用いて実施することができ、また、ＩＭＴ−２０００（International Mobile Telecommunications-2000）で標準化されている任意の無線インタフェースを用いて実施することができる。
【０１２６】
なお、図２では、ホームエージェント７がＣＳＮ１２に設置されているシステムを例として説明したが、ホームエージェント７をＭＶＮＯ網１３に設置することもできる。
さらに、図２〜図６の説明では、基地局識別子は、報知信号で移動端末１に通知される場合を例としたが、基地局２やＭＶＮＯ基地局２０は、報知信号以外の任意の制御信号によって基地局識別子を移動端末１に通知することができる。
【０１２７】
また、ケース１〜４のいずれにおいても、ＡＳＮＧＷ３にポートの番号と各ポートに接続されている基地局（２、２０）の関係を記憶させることができる。この場合、ＡＳＮＧＷ３は、認証要求メッセージを受信したポートの番号からＭＶＮＯ基地局２０を経由したメッセージかを判断することもできる。つまり、基地局識別子を用いずに、制御メッセージを基地局２とＭＶＮＯ基地局２０のいずれの基地局から受信したかを判定するように、ＡＳＮＧＷ３を変形できる。なお、ポートの番号と各ポートに接続されている基地局（２、２０）の関係は、テーブルとしてＡＳＮＧＷ３のメモリ中に記憶することもできる。
【０１２８】
以上を概観すると、ＭＶＮＯ基地局２０を介して中継装置に受信された認証要求は、ＭＶＮＯユーザからの認証要求であるかＭＮＯユーザからの認証要求であるかに関わらず、ＭＶＮＯ事業者のＨ−ＡＡＡサーバ５に転送される認証課金方法が提供される。ＭＶＮＯ事業者のＨ−ＡＡＡサーバ５は、ＭＶＮＯユーザから送信された認証要求について、アクセスを認可するか決定する。また、Ｈ−ＡＡＡサーバ５は、ＭＮＯユーザから送信された認証要求を、ＭＮＯ事業者のＨ−ＡＡＡサーバ６に転送する。このような方法を採用することにより、ＭＶＮＯ事業者は、ＭＶＮＯ事業者が認証課金に用いる情報を、ＭＮＯ事業者の行っている認証課金方法と関係なく設定もしくは変更することができる。すなわち、ＭＶＮＯ事業者は、自由に課金方法や認証方法をカスタマイズすることができる。
【０１２９】
上述の各実施形態に対し、さらに以下の付記を開示する。
（付記１）
移動端末は基地局を介して認証要求を送信し、
前記基地局と認証装置の間に位置する中継装置は、仮想移動体サービス事業者のサービスを提供するＭＶＮＯ基地局を介して前記認証要求を受信すると、前記認証要求を、前記仮想移動体サービス事業者によって管理されているＭＶＮＯ認証装置に転送し、
前記ＭＶＮＯ認証装置は、前記仮想移動体サービス事業者のユーザとして登録された移動端末から送信された前記認証要求を受信すると、アクセスを認可するか決定する
ことを特徴とする認証課金方法。
（付記２）
前記中継装置は、移動体通信事業者のサービスを提供するＭＮＯ基地局を介して前記認証要求を受信すると、前記認証要求を、前記移動体通信事業者によって管理されているＭＮＯ認証装置に転送し、
前記ＭＮＯ認証装置は、前記移動体通信事業者のユーザとして登録された移動端末から送信された前記認証要求について、アクセスを認可するか決定する
ことを特徴とする付記１に記載の認証課金方法。
（付記３）
前記認証要求は、前記認証要求を中継する基地局を識別する基地局識別子を含み、
前記ＭＶＮＯ認証装置は、前記基地局識別子に応じて、アクセスを認可した移動端末に対する課金額を算出する
ことを特徴とする付記１もしくは２に記載の認証課金方法。
（付記４）
前記ＭＶＮＯ認証装置は、前記ＭＶＮＯ基地局を介して、移動体通信事業者のユーザとして登録された移動端末に前記サービスが提供されるときに、前記基地局識別子に応じて、アクセスを認可した移動端末に対する課金額を算出して、前記移動体通信事業者によって管理されているＭＮＯ認証装置に前記課金額を通知する
ことを特徴とする付記３に記載の認証課金方法。
（付記５）
前記ＭＶＮＯ認証装置が受信した認証要求が、移動体通信事業者のユーザとして登録されているＭＮＯユーザ端末から送信された場合、前記ＭＶＮＯ認証装置は、前記ＭＮＯ認証装置に前記ＭＮＯユーザ端末からの認証要求を転送する
ことを特徴とする付記１〜４のいずれかに記載の認証課金方法。
（付記６）
前記中継装置は、移動体通信事業者のユーザとして登録され、かつ、前記ＭＶＮＯ基地局を経由したサービスを受ける移動端末を表すＭＮＯユーザ端末を識別する端末識別子を記憶し、
前記中継装置は、前記ＭＶＮＯ基地局を介して前記移動体通信事業者のサービスを利用するためのＭＮＯ認証要求を受信すると、前記ＭＮＯ認証要求を送信した移動端末が前記ＭＮＯユーザ端末であるかを、前記端末識別子を用いて判定し、
前記ＭＮＯ認証要求が前記ＭＮＯユーザ端末から送信されていない場合には、前記ＭＮＯ認証要求を廃棄する
ことを特徴とする付記１〜４のいずれかに記載の認証課金方法。
（付記７）
前記ＭＶＮＯ基地局は、移動体通信事業者のユーザとして登録された移動端末から、前記移動体通信事業者への認証を要求するＭＮＯ認証要求を受信すると、前記中継装置へ転送し、
前記中継装置は、前記ＭＶＮＯ基地局を介して前記ＭＮＯ認証要求を受信すると、前記ＭＮＯ認証要求を、前記ＭＶＮＯ認証装置に転送し、
前記ＭＶＮＯ認証装置は、前記ＭＮＯ認証要求を前記ＭＮＯ認証装置へ転送する
ことを特徴とする付記１〜５のいずれかに記載の認証課金方法。
（付記８）
前記基地局は、前記基地局を介した通信によって提供されるサービスの条件を表すサービス情報を前記移動端末に通知し、
前記移動端末が複数の基地局から前記サービス情報を受信したとき、前記移動端末は、前記サービス情報に基づいて、前記複数の基地局の中から接続する基地局を決定する
ことを特徴とする付記１〜７のいずれかに記載の認証課金方法。
（付記９）
基地局を介して移動端末の認証要求を受信するときに、前記基地局が仮想移動体サービス事業者のサービス提供に用いられるＭＶＮＯ基地局であるかを判定する判定部と、
前記ＭＶＮＯ基地局を介して送信された認証要求を、前記仮想移動体サービス事業者によって管理されているＭＶＮＯ認証装置へ送信する送信部、
を備えることを特徴とする中継装置。
（付記１０）
前記基地局が移動体通信事業者のサービス提供に用いられるＭＮＯ基地局である場合、前記送信部は、前記移動体通信事業者によって管理されているＭＮＯ認証装置へ、前記移動端末の認証要求を転送する、
ことを特徴とする付記９に記載の中継装置。
（付記１１）
仮想移動体サービス事業者によって管理されているＭＶＮＯ認証装置であって、
前記仮想移動体サービス事業者のサービス提供に用いられるＭＶＮＯ基地局を介して、移動端末からの認証要求を受信する受信部と、
前記ＭＶＮＯ認証装置での認証を要求するＭＶＮＯ認証要求に対して、前記ＭＶＮＯ認証要求を送信した移動端末のアクセスを認可するかを決定する決定部と、
前記受信部で受信された前記認証要求のうち、移動体通信事業者のサービス提供を要求するＭＮＯ認証要求を、前記移動体通信事業者の認証装置に転送する転送部
を備えることを特徴とする認証装置。
（付記１２）
移動端末が認証装置へ認証要求を送信するときにアクセスされる基地局であって、
前記移動端末が前記基地局を介して通信を行うときのサービスの条件を表すサービス情報を前記移動端末に通知する条件通知部と、
前記認証要求を、前記基地局と前記認証装置の間に位置する中継装置へ転送する転送部
を備えることを特徴とする基地局。
（付記１３）
基地局を介して通信を行うときのサービスの条件を表すサービス情報を前記基地局から受信する条件受信部と、
前記条件受信部で受信された条件に基づいて、アクセス先の基地局を決定する基地局決定部と、
前記基地局決定部で決定されたアクセス先の基地局を介して、認証要求を送信する送信部を備え、
前記認証要求には、前記アクセス先の基地局を特定する情報と、前記サービスを提供する事業者を特定する情報を含める
ことを特徴とする移動端末。
【符号の説明】
【０１３０】
１  移動端末
２  基地局
３  ＡＳＮＧＷ
４  Ｐ−ＡＡＡサーバ
５、６  Ｈ−ＡＡＡサーバ
７  ホームエージェント
１１  ＡＳＮ
１２  ＣＳＮ
１３  ＭＶＮＯ網
２０  ＭＶＮＯ基地局
３１  ＭＶＮＯユーザ
３２  ＭＶＮＯ
３３  ＭＮＯユーザ
３４  ＭＮＯ
４０  報知信号
４１  ヘッダ
４２  メッセージコンテンツ
４３  チェックフィールド
４４  サービス情報フィールド
【図３】
2011015021.tif 000003
【図４】
2011015021.tif 000004
【図６】
2011015021.tif 000005
【図７】
2011015021.tif 000006
【図８】
2011015021.tif 000007
【図１０】
2011015021.tif 000008
【図１１】
2011015021.tif 000009
【図１２】
2011015021.tif 000010
【図１３】
2011015021.tif 000011
【図１４】
2011015021.tif 000012
【図１６】
2011015021.tif 000013
【図１】
2011015021.tif 000014
【図２】
2011015021.tif 000015
【図５】
2011015021.tif 000016
【図９】
2011015021.tif 000017
【図１５】
2011015021.tif 000018